(57)【要約】  往復編成用装置での編成によって製造される編成部を備えたフットレット。その編成部は、縁部によって限定されるリング状開口部（１９，５９，８４）と、その開口部の縁部に沿って延在する弾性ストリップ（３，４３，５３，７３，８３）とを含む。弾性ストリップ（３，４３，５３，７３，８３）は、接着剤によって編成部の縁部に取り付けられた弾性テープを含む。弾性ストリップの適用時、リング状開口部の編成部は、弾性ストリップの横サイドが、リング状開口部の縁部の横サイドとほぼ一致するように、縁部に沿って少なくとも部分的に切断される。【選択図】図１
2020531705.tif 000002
【特許請求の範囲】
【請求項１】
往復編成用装置での編成によって製造されると共に、縁部によって限定されるリング状開口部を備えた編成部と、前記開口部の縁部に沿って延在する弾性ストリップ（３，４３，５３，７３，８３，９２）とを具備してなるフットレット（１，４１，５１，７１，８１）において、
前記弾性ストリップ（３，４３，５３，７３，８３，９２）は、接着剤によって前記編成部（２，５２，７２，８２）の縁部に取り付けられた弾性テープ（１４）を含み、
前記弾性ストリップ（３，４３，５３，７３，８３，９２）の適用時の前記編成部（２，５２，７２，８２）は、前記弾性ストリップの横サイド（１８）が前記リング状開口部の縁部の横サイド（９，１０，１１，１２）とほぼ一致するように、前記リング状開口部の縁部に沿って少なくとも部分的に切断されている、ことを特徴とするフットレット。
【請求項２】
前記編成部（２，５２，７２，８２）が、かかと部（４，５４，７４）、つま先部（８，５８，７９）、及び、前記かかと部（４，５４，７４）と前記つま先部（８，５８，７９）との間に位置する中間部（６，５６，７６）を含み、
当該中間部（６，５６，７６）が、前記かかと部（４，５４，７４）と前記つま先部（８，５８，７９）との間で両側に延在するサイド（９，１０）を含み、
前記開口部を限定する前記縁部が、前記つま先部（８，５８，７９）の縁部、前記中間部（６，５６，７６）の両横サイドの縁部、及び前記かかと部（４，５４，７４）の縁部を備えてなる、ことを特徴とする請求項１に記載のフットレット。
【請求項３】
前記弾性ストリップ（３）が、前記編成部（２，５２，７２，８２）のつま先部（８，５８，７９）、中間部（６，５６，７６）及びかかと部（４，５４，７４）の縁部のほぼ全体に沿って延在することを特徴とする、請求項１又は２に記載のフットレット。
【請求項４】
前記編成部（２，５２，７２，８２）が、つま先部（８，５８，７９）を含み、
前記開口部を限定する前記縁部が、前記つま先部（８，５８，７９）の円形の縁部を含むことを特徴とする、請求項１に記載のフットレット。
【請求項５】
前記編成部（２，５２，７２，８２）がシームレスに編成されていることを特徴とする、請求項１〜４のいずれか一項に記載のフットレット。
【請求項６】
前記弾性ストリップ（３，４３，５３，７３，８３，９２）の端部（１５，１６）が重なり合い、接着剤で互いに取り付けられていることを特徴とする、請求項１〜５のいずれか一項に記載のフットレット。
【請求項７】
前記弾性ストリップ（３，４３，５３，７３，８３，９２）が、材料自体が滑り止め機能を備える材料から製造されていることを特徴とする、請求項１〜６のいずれか一項に記載のフットレット。
【請求項８】
前記材料がシリコーンを含むことを特徴とする、請求項１〜７のいずれか一項に記載のフットレット。
【請求項９】
前記弾性ストリップ（３，４３，５３，７３，８３，９２）が、接着剤としてのホットメルトによって前記編成部（２，５２，７２，８２）に取り付けられていることを特徴とする、請求項１〜８のいずれか一項に記載のフットレット。
【請求項１０】
前記弾性ストリップ（３，４３，５３，７３，８３，９２）が、５〜１５ミリメートル、好ましくは５〜１０ミリメートル、より好ましくは約５ミリメートルの幅を有することを特徴とする、請求項１〜９のいずれか一項に記載のフットレット。
【請求項１１】
前記弾性ストリップ（３，４３，５３，７３，８３，９２）に通路（４８）が設けられていることを特徴とする、請求項１〜１０のいずれか一項に記載のフットレット。
【請求項１２】
請求項１〜１１のいずれか一項に記載のフットレット（１）を製造する方法であって、編成部（２，５２，７２，８２）が往復編成用装置を用いて製造されると共に、当該編成部（２，５２，７２，８２）が、縁部によって限定されるリング状開口部と、前記開口部の縁部に沿って延在する弾性ストリップ（３，４３，５３，７３，８３，９２）とを備えてなる、フットレットの製造方法において、
前記弾性ストリップ（３，４３，５３，７３，８３，９２）は弾性テープを含み、当該弾性テープ（１４）は、接着剤によって前記編成部（２，５２，７２，８２）の縁部に取り付けられ、
前記弾性ストリップ（３，４３，５３，７３，８３，９２）の適用時に、前記リング状開口部の縁部に沿った前記編成部（２，５２，７２，８２）は、前記弾性ストリップの横サイド（１８）が前記リング状開口部の縁部の横サイド（９，１０，１１，１２）とほぼ一致するように、少なくとも部分的に切断される、ことを特徴とする方法。
【請求項１３】
前記編成部（２，５２，７２，８２）がシームレスに編成されることを特徴とする、請求項１２に記載の方法。
【請求項１４】
前記弾性ストリップ（３，４３，５３，７３，８３，９２）の端部（１５，１６）が重なり、接着剤で互いに取り付けられることを特徴とする、請求項１２又は１３に記載の方法。
【請求項１５】
前記弾性ストリップ（３，４３，５３，７３，８３，９２）が、接着剤としてのホットメルトによって前記編成部（２，５２，７２，８２）に取り付けられることを特徴とする、請求項１２〜１４のいずれか一項に記載の方法。
【発明の詳細な説明】
【技術分野】
【０００１】
本発明は、縁部によって区切られたリング状開口部を含み、開口部の縁部に沿って延在する弾性ストリップを含む、往復編成用の装置で編成すること(knitting)によって製造された部位（パート）を備えたフットレットに関する。
【０００２】
本発明はまた、そのようなフットレットを作り上げるための方法に関する。
【背景技術】
【０００３】
ＷＯ２００８０７２０４８（特許文献１）で知られているフットレットは、人の足を部分的に覆うために使用される。使用時、フットレットは、かかと、足の下側、及びつま先の上に延在する。中間部も足の横側に沿ってわずかに延在する。足の上側の大部分は、フットレットで覆われない。部分的に開いた靴を履いているとき、フットレットは、視界から隠され、フットレットは、着用者に快適な感覚を与える。フットレットはシームレスであるため、足に望ましくない圧力マーク（圧迫痕）を引き起こす可能性のある縫い目は存在しない。つま先部及びかかと部には、比較的小さな弾性ストリップが備えられている。かかと部は、弾性ストリップによって人のかかとに対し押し付けられ、フットレットは、人の足の周りにしっかりと留まる。
【０００４】
通常、靴のサイズごと又は２つの靴のサイズごとに作製される普通の靴下及びストッキングとは対照的に、フットレットは、通常２つ又は３つのサイズのみで作製される。利点は、必要な棚スペースが制限される店舗において、供給管理が簡単なことである。その結果、フットレットは比較的広い範囲の足のサイズに適している必要があり、フットレットは各足のサイズに快適にフィットする必要がある。
【０００５】
既知のフットレットの欠点は、フットレットが、足のサイズが異なる人によって履かれ、比較的足が大きな人の場合、比較的狭い、つま先部分及びかかと部分のみに、足に比較的大きな力を伴う弾性ストリップ圧力が提供され、その結果、弾性ストリップが押し付けとして感じられる可能性があることである。足に接触する弾性ストリップに十分な強さがないときに足が比較的小さい人は、フットレットが足からずれてしまう危険性がある。比較的狭い弾性ストリップのさらなる不利な点は、編成部と共に丸くなる傾向があり、そのことがイライラとして経験される（イライラ感を与える）ことである。
【０００６】
往復編成用の装置でフットレットを編成するときに弾性ストリップを直接編成することは可能であるが、編成部を製造した後、別個のプロセスで編成部に弾性ストリップを縫製することも一般的である。これには、余分な製造ステップが必要である。往復編成用の装置でフットレットを製造することも可能であり、その後、少なくともつま先部で、往復編成により、管状の編成部が縫製により閉じられる。
【先行技術文献】
【特許文献】
【０００７】
【特許文献１】国際公開ＷＯ２００８０７２０４８  Ａ１公報
【発明の概要】
【０００８】
本発明は、製造が簡単で、使用中に足にしっかりと接触したままであるフットレットを提供することを意図するものである。
【０００９】
この目的は、本発明に従うフットレットによって達成される。本発明のフットレットにおいては、弾性ストリップが、接着剤によって編成部（ニット編み部）の縁部に取り付けられた弾性テープを備え、弾性ストリップの横サイドが、リング状開口部の縁部の横サイドとほぼ一致するように、弾性ストリップの適用時の編成部が、リング状開口部の縁部に沿って少なくとも部分的に切断されている。
【００１０】
編成部の縁部に接着剤で弾性ストリップを固定することは、比較的簡単であり、編成部の切断は、弾性ストリップの適用の直前、最中、又は直後に実行することができる。リング状開口部の縁部に弾性ストリップを適用する際に編成部を切断することにより、単一の装置で弾性ストリップを適用し、縁部に沿って同時に編成部を切断することが可能である。それにより、弾性ストリップが迅速かつ正確に適用される。
【００１１】
最初に編成部が切断され、後に別の装置で弾性ストリップのみが適用される場合、開口部の縁部を弾性ストリップに対して正確に位置合わせし、弾性ストリップが、その全長にわたって、リング状開口部の縁部の横サイドと一致するか、又は数ミリメートルの同じ比較的短い距離にあることを確認する必要がある。この問題は、ある装置において、弾性ストリップを適用する装置と、縁部を切断するための切断装置とが互いに関連して位置合わせされるという点で本発明によるフットレットにより防止される。最初に編成部を切断し、後に弾性ストリップを適用するのみでは、一方の装置での切断と他方の装置での弾性ストリップの適用との間の時間に、編成されたフットレットが切断された縁部に沿ってほころびるという危険性があるというさらなる欠点がある。また、この問題は、本発明によるフットレットにより防止される。弾性ストリップと切断された縁部とが一致又は一定の距離にあるため、本フットレットでは、同時に弾性ストリップが適用され、編成部が切断されていることが分かる。
【００１２】
縁部の横サイドと弾性ストリップの横サイドとがほぼ一致するため、完成した外観が確立される。弾性ストリップは、接着剤によって編成部の切断縁部に取り付けられているため、弾性ストリップは、編成切断部が、ほころびて、ほどけるのを防止する。
【００１３】
リング状開口部を制限（限定）する縁部はエンドレスであるが、ニーソックスのように一定の直径を有するリングを形成せず、縁部は人の脚の周りに延在する。
【００１４】
縁部に弾性ストリップを適用することは、最初に縁部に弾性ストリップの第１の端部を取り付け、その後、最後に他方の第２の端部が縁部に取り付けられるまで残りのストリップが取り付けられる。
【００１５】
ＫＲ１０１５９９２７６Ｂ１公報により、周囲に沿って互いに取り付けられた２つのプレーン層及びフラット層で構成され、１つの層には開口部が備えられた製品が知られていることに留意されたい。開口部が備えられたプレーン編成層には、シリコーン縁部がスクリーン印刷によって適用されている。本発明によるフットレットの編成部は、例えばつま先部及び／又はかかと部を形成するために縫製数を増加及び減少させる編成中に、往復編成用の装置で製造されるので、編成部は、単純に配置することはできず、ＫＲ１０１５９９２７６Ｂ１公報により知られている方法は、往復編成用の装置で編成されたフットレットには適用できない。
【００１６】
弾性ストリップは、それぞれの所望の幅を有することができ、その結果、足への圧力は、フットレットが、比較的小さな足だけでなく、比較的大きな足の場合に足の周りで快適になるように、簡単に広げることができる。弾性ストリップの幅が比較的大きいため、望ましくない丸まりが簡単に防止される。接着（剤）のため、弾性ストリップを編成部に取り付けるために縫製の継ぎ目は必要ない。
【００１７】
ＷＯ２０１６０５８８６４公報から、弾性ストリップからかかと部及びつま先部に提供されるフットレットが知られており、かかと部のみに滑り止め要素が備えられていることに留意されたい。編成かかと部は、切断されないので、滑り止め要素の横サイドをかかと部の縁部の横サイドと一致させることは比較的複雑である。滑り止め部の上に延在する編成部の一部が、滑り止め部の周りにカールする危険性が存在する。
【００１８】
ＫＲ１０２０１３００４２７１８Ａ公報から、底部及び帯状の上部から構成される靴下が知られていることに留意されたい。底部及び帯状部は、所望の最終形状に切断される。その後、弾性ストリップが適用される。続いて、帯状部の端部が互いに取り付けられる。この靴下は、リング状開口部によって制限された縁部を含む往復編成用の編成機で製造された部位を含まない。さらに、この靴下により、弾性ストリップの適用中に帯状のパーティーは切断されない。
【００１９】
本発明によるフットレットの一実施形態は、編成部が、かかと部、つま先部、及び、かかと部とつま先部との間に位置する中間部を含み、中間部が、かかと部とつま先部との間の両側に延在するサイドを含み、開口部を制限（限定）する縁部は、つま先部の縁部、中間部の両横サイドの縁部、及びかかと部の縁部を含むことを特徴とする。
【００２０】
そのようなフットレットの場合、縁部は、かかとの後ろ及び足にかかっている。開口部のサイズは、フットレットが履かれる靴の形状に依存する。フットレットは、付属の靴を履いているときにはほとんど見えないことが好ましい。スニーカーのような靴の場合、フットレットは、上部側のほぼ全体を覆うことができ、バレリーナのようなオープンシューズで履くフットレットの場合よりも開口部が小さい。
【００２１】
本発明によるフットレットの別の実施形態は、弾性ストリップが、編成部のつま先部、中間部、及びかかと部の縁部全体にほぼ沿って延在することを特徴とする。
【００２２】
弾性ストリップは、編成部の縁部全体にほぼ沿って延在するため、弾性ストリップによって行使される足への力は、フットレットのほぼ全周にわたって広がる。さらに、編成部のほぼ縁部全体に沿った弾性ストリップにより、それを完成した外観に見せる。
【００２３】
本発明によるフットレットの別の実施形態は、編成部がつま先部を含み、開口部を制限（限定）する縁部がつま先部の円形縁部を含むことを特徴とする。
【００２４】
そのようなフットレットは、つま先及び足の端部の小さな部分のみを覆う。そのようなフットレットが足からずれる傾向は、弾性テープによって効果的に防止される。
【００２５】
本発明によるフットレットの別の実施形態は、編成部がシームレスに編成されることを特徴とする。
【００２６】
編成部がシームレスであり、弾性テープが接着剤によって編成部に取り付けられているため、フットレット全体がシームレスである。その結果、望ましくない圧力マーク（圧迫痕）が簡単に防止される。さらに、編成部が全体としてシームレスに編成され、その後、続いて単一の製造ステップで弾性テープが適用され、フットレットと一緒に切断されるため、この結果、フットレットを製造するために必要なプロセスの数は、最小限に抑えられる。
【００２７】
本発明によるフットレットの別の実施形態は、弾性ストリップの端部が重なり、接着剤によって互いに取り付けられることを特徴とする。
【００２８】
このようにして、弾性ストリップは、編成部の全周に沿ってエンドレスストリップとして延在し、完成した外観を形成する。さらに、エンドレス弾性ストリップにより、足にかかる力が均等に広げられる。
【００２９】
本発明によるフットレットの別の実施形態は、弾性ストリップが材料から製造され、その材料自体が滑り止め機能を備えることを特徴とする。
【００３０】
材料自体が滑り止め機能を備えているため、すなわち、材料が、材料の足への滑りが簡単に防止又は妨げられるという特徴を有し、弾性ストリップの増幅によって足にかかる力は、比較的小さくなり、これは履き心地を向上させる。滑り止め機能は、フットレットの足からの望ましくないずれを簡単に防止する。弾性ストリップが編成部のほぼ縁部全体又は縁部全体に延在している場合、縁部全体に沿ってフットレットが足からずれることはあり得ない。
【００３１】
弾性ストリップの材料が、それ自体で滑り止め機能を有さない材料で製造されている場合には、フットレットが足からずれるのを防止することは、弾性ストリップのストレッチ機能によって完全に実行されなければならず、弾性ストリップをもったフットレットは足に敷設される。
【００３２】
本発明によるフットレットの別の実施形態は、材料がシリコーン（シリコン樹脂）を含むことを特徴とする。
【００３３】
シリコーンは、比較的小さなテープで、フットレットの弾性ストリップとして任意の所望の幅で簡単に適用できる。
【００３４】
本発明によるフットレットの別の実施形態は、弾性ストリップが接着剤としてのホットメルトによって編成部に適用されることを特徴とする。
【００３５】
ホットメルトを用いて、弾性ストリップを編成部に迅速かつしっかりと取り付けることができる。
【００３６】
本発明によるフットレットの別の実施形態は、弾性ストリップが５〜１５ミリメートル、好ましくは５〜１０ミリメートル、さらにより好ましくは約５ミリメートルの幅を有することを特徴とする。
【００３７】
そのような幅は、足にかかる力の良好な広がり、良好な滑り止め効果、及び良好な着心地を保証する。
【００３８】
本発明によるフットレットの別の実施形態は、弾性ストリップに通路が備えられることを特徴とする。
【００３９】
そのような通路は、例えばシリコーンから製造された弾性ストリップによる換気（部）として機能する。そのような通路は、フットレットを履いている人の足の蒸散に十分な通気性を弾性ストリップ自体の材料が備えてない場合に特に適している。
【００４０】
本発明は、さらに、そのようなフットレットを製造するための方法、縁部によって制限されるリング状開口部及び開口部の縁部に沿って延在する弾性ストリップを含む編成部を製造する往復編成用の装置に関し、弾性ストリップは、弾性テープを備え、弾性テープは、接着剤で編成部の縁部に取り付けられ、弾性ストリップの適用中にリング状開口部の縁部に沿った編成部は、弾性ストリップの横サイドが、リング状開口部の縁部の横サイドとほぼ一致するように、少なくとも部分的に切断される。
【００４１】
編成部の縁部に接着剤で弾性ストリップを取り付けることは、比較的簡単であり、編成部の切断は、弾性テープの適用の直前、最中または直後に簡単に実行できる。リング状開口部の縁部に弾性ストリップを適用する際に編成部を切断することにより、弾性ストリップは、編成部が１つの装置の縁部に沿って切断されると同時に適用することができる。それにより、弾性ストリップが迅速かつ正確に適用される。
【００４２】
縁部の横サイドと弾性ストリップの横サイドとがほぼ一致するため、完成した外観が得られ、弾性ストリップによって縁部に沿って編成部のほころびが防止される。
【００４３】
以下、図面を参照しつつ本発明を説明する。
なお、対応する部品（要素）には、図中で同じ参照番号が与えられている。
【図面の簡単な説明】
【００４４】
【図１】本発明に従うフットレットの第１の実施形態の斜視図である。
【図２】図１中のフットレットの縁部（ＩＩＩ）の拡大詳細図である。
【図３】人の足の周りに適用された図１のフットレットの側面図である。
【図４】本発明に従うフットレットの第２の実施形態の斜視図である。
【図５】本発明に従うフットレットの第３の実施形態の斜視図である。
【図６】本発明に従うフットレットの第４の実施形態の斜視図である。
【図７】本発明に従うフットレットの第５の実施形態の斜視図である。
【図８】本発明に従うフットレットの第６の実施形態の斜視図である。
【発明を実施するための形態】
【００４５】
［好ましい実施形態の説明］
図１は、編成部２（ニット編み部２）及び弾性ストリップ３を備えた本発明に従うフットレット１を示す。編成部２は、往復編成（往復ニット編み）のみにより、往復編成するための装置によって製造される。その結果、シームレス（縫い目無し）の編成部２が得られる。シームレスの編成部２は、かかと部４、編組線５でかかと部４と接続された中間部６、及び、編組線７で中間部６と接続されたつま先部８を備えている。往復編成時に増加及び減少させることにより、所望の形態の編成部２を得ることができる。中間部６は、かかと部４とつま先部８との間の両側に延在するサイド９、１０を含む。サイド９、１０は、かかと部４及びつま先部８のサイド１１、１２によって互いに取り付けられる。シームレスの編成部２の製造後、弾性テープ１４が４つのサイド９〜１２に沿って接着剤で取り付けられ、第１の端部１５は、（二つの）端部１５、１６が部分１７で重なるように第２の端部１６よりもさらに延在する。端部１５、１６は、弾性テープ１４がシームレスの編成部２に取り付けられるのと同じ接着剤で互いに取り付けられる。好ましくは、弾性テープ１４を接着剤で取り付ける間、シームレスの編成部２は、弾性テープ１４の横サイド１８が、サイド９〜１２によって形作られたシームレス編成部２と一致するように、弾性テープ１４の外側の横サイド１８に沿って切断される。弾性ストリップを適用できると共に同時に編成部を縁部に沿って切断できる単一の装置を用いることができる。横サイド１８は、フットレット１内に足を挿入できる開口部１９を制限（限定）する。これは、図２ではっきりと分かる。この図２では、この編成部が切断されていることもはっきりと分かる。弾性テープ１４は、接着剤でシームレスの編成部２に取り付けられているので、ほころび及び／又はほどけることは、容易に防止される。弾性テープ１４は、例えば、ローラに巻き付けられ、既に接着剤が備えられており、弾性テープ１４をローラから巻き戻すことにより、接着剤が備えられた側面を編成部２に直接押し付けることができる。弾性テープ１４は、好ましくは接着剤としてホットメルトによりシームレスの編成部２に取り付けられる。ここで、好ましくは、編成部２は、内側に向けられた側（サイド）を作業台によって支持しながら弾性テープ１４が外側に向けられた側（サイド）に容易に取り付けられ得るように、裏返しにされる。これにより、弾性テープ１４は、外側に向けられた側（サイド）に対ししっかりと押し付けられ得ると共に、同時に編成部２が、所望であれば弾性テープ１４もまた、所望の幅で切断することができる。さらに、本発明による形成されたフットレット１は、形成された弾性ストリップ３が足２１に向けられたフットレット１の内側にあるように折り返される。
【００４６】
シームレスの編成部２に取り付けられた弾性テープ１４は、フットレットの弾性ストリップ３を形成する。エンドレス弾性ストリップ３は、５〜１５ミリメートル、好ましくは５〜１０ミリメートル、より好ましくは約５ミリメートルの幅Ｂを有する。弾性ストリップ３の厚さは、比較的薄く、例えば０．０５〜０．５、好ましくは約０．１ミリメートルであり、その結果、足２１、フットレット１の弾性ストリップ３、及び周囲の靴の間に挟まれることがない。それに比べて、従来技術によるフットレットの編成部に編成された弾性ストリップの厚さは、１〜２ミリメートルである。
【００４７】
図３は、図１のフットレット１を備えた人の足２１を示している。ここで、かかと部４は、足２１のかかとの周りにある。また、つま先部８は、足２１のつま先の上にある。中間部６は、足２１の下部にわたって底部２２で延在し、足２１の横面に沿って横側部２３、２４で延在する。
【００４８】
弾性ストリップ３は、足２１に対してフットレット１の全周にわたってあり、その結果、圧力の良好な分布が取得される。
【００４９】
弾性ストリップ３は、好ましくは、材料自体が滑り止め機能を有する材料から作製される。そのような材料は、例えばシリコーン（シリコン樹脂）である。
【００５０】
弾性ストリップテープを足２１とほとんど摩擦のない材料から作製することも可能であるが、その場合、弾性ストリップ３の弾性効果のため、フットレット１は足２１の周りにのみ貼り付く。シリコーン製弾性ストリップ３の場合、フットレット１は、足とほとんど摩擦のない材料の弾性テープの場合よりも足２１への十分な固定を保証するために、かなり少なめに引き伸ばす（ストレッチさせる）必要がある。
【００５１】
図４は、本発明に従うフットレット４１の第２の実施形態の斜視図を示す。フットレット４１は、シームレスの編成部２及び弾性ストリップ４３を含む。フットレット４１は、弾性ストリップ４３が２つの弾性テープ４４、４５を含むという点でフットレット１とは異なる。第１のテープ４４は、中間部６のサイド１０の一部、かかと部４の全サイド１１、及び中間部６のサイド９の一部にわたって延在する。第２のテープ４５は、中間部６のサイド１０の一部、つま先部８の全サイド１２、及び中間部６のサイド９の一部にわたって延在する。ここで、第１のテープ４４の（各）端部４６は、第２のテープ４５の（各）端部４７から数ミリメートルの距離Ａにある。
【００５２】
弾性テープ４４、４５には、足２１の皮膚の換気のための（複数の）通路４８が設けられている。更に、これらの通路４８は、弾性ストリップ４４、４５の材料の必要量を減少させる。通路４８の形状は任意であり得る。
【００５３】
図５は、本発明に従うフットレット５１の第３の実施形態の斜視図を示す。フットレット５１は、シームレスの編成部５２（ニット編み部５２）及び弾性ストリップ５３を含む。シームレスの編成部５２は、かかと部５４、編組線５５によってかかと部５４と接続された中間部５６、及び、編組線５７によって中間部５６と接続されたつま先部５８を含む。つま先部５８は、かかと部５４よりもかなり長い。さらに、弾性ストリップ５３によって制限（限定）される開口部５９は、フットレット１の弾性テープ１４によって制限（限定）される開口部１９よりもかなり小さい。このフットレット５１は、例えばスニーカーで履くのに適しており、前記フットレット１は、バレリーナで履くのに適している。スニーカーで前記フットレット１を履くと、裸足となる足の上部の一部がスニーカーの内側に触れ、これは不快として経験される。バレリーナでフットレット５１を履くと、フットレット５１のつま先部５８の上部が見え、これは望ましくないものとして経験される。フットレット５１は、弾性ストリップ５３が互いに距離Ｃにある２つの同心状の弾性テープ６０、６１を含むという点で、フットレット１とはさらに異なる。弾性テープ６０、６１は、例えば距離Ｃと同じ幅である。距離Ｃは、例えば３〜５ミリメートルである。
【００５４】
図６は、本発明に従うフットレット７１の第４の実施形態の斜視図を示す。フットレット７１は、編成部７２（ニット編み部７２）及び弾性ストリップ７３を含む。編成部７２は、かかと部７４、（および、）かかと部７４から離れた側で管状であるところの、編組線７５によってかかと部７４と接続された中間部７６を含む。部分的に二重に折り畳んでいる管状部７８を切断すること及び縫製加工により、縫い目８０を通じて管状部７８に接続されるつま先部７９が形成される。弾性ストリップ７３は、弾性テープ１４を備えたフットレット１と同様、接着剤で編成部５２に取り付けられる。
【００５５】
図７は、本発明に従うフットレット８１の第５の実施形態の斜視図を示す。フットレット８１は、編成部８２（ニット編み部８２）及び弾性ストリップ８３を含む。弾性ストリップ８３は、つま先及び小当接部を含む足の前部のみを入れることができる開口部８４を制限（限定）する。開口部８４の全周に沿って延在する弾性ストリップ８３は、好ましくはシームレスに編成され且つ周りが切断された部分８２に取り付けられる。編成部８２は、編組線８６によって後部編成部８７に取り付けられる前部編成部８５を含む。
【００５６】
図８は、本発明に従うフットレット９１の第６の実施形態の斜視図を示し、フットレット９１が人のかかとの周りに留めることができる相補的な弾性バンド９２を備えている点でフットレット８１とは異なる。それにより、フットレット９１の望ましくない脱落が、さらに防止される。
【００５７】
すべてのフットレット１、４１、５１、７１、８１、９１では、開口部１９、５９、８４が完全に形成され、その後、開口部の縁部に沿って弾性ストリップが取り付けられるように、最初に編成部が製造される。
【００５８】
もちろん、フットレット１、４１、５１、７１、８１、９１に二重に生成された弾性ストリップ５３又は単一の弾性テープ１４のフットレット５１を設けることも可能である。３本以上の平行なトラックの弾性テープを構築することも可能である。
【００５９】
例えば、かかと部に余分な滑り止め要素を適用することも可能である。
【００６０】
（各）端部１５、１６は、サイド９〜１２に沿った任意の位置に配置可能である。
【００６１】
かかと部４及びつま先部８は同一（形状）に生成することができ、どちらの部分をかかと部４／つま先部８として使用したいかを使用者に任せる。かかと部４及びつま先部８は、異なる方法で生成することができ、かかと部４は足２１のかかとの形状に適合され、つま先部８は足２１のつま先に適合される。
【００６２】
弾性ストリップ３、５３、７３、８３、９２が、端部１５、１６は重ならないが比較的短い距離だけ離れてほぼエンドレスであることも可能である。また、これらの弾性ストリップには通路４８を備えることができる。
【００６３】
フットレット１、４１、５１、７１、８１の編成部（ニット編み部）は、綿、ポリアミド、ポリプロピレン、もしくは別の合成物、もしくは別の材料、又はそれらの組み合わせからなる繊維または糸で編成（ニット編み）される。
【００６４】
フットレット１、４１、５１、７１、８１の編成部をシームレスでなく製造することも可能である。しかしながら、これには継ぎ目が避けられないという欠点がある。
【００６５】
滑り止め機能を備えた材料は、例えばシリコーン（例えば、ＣＨＴ、Ｄｏｗ  Ｃｏｒｎｉｎｇ、Ａｌｐｉｎａ、又は他の企業において、例えばＡｌｐａｔｅｃの製品名で販売されているもの）である。滑り止め機能を備えたシリコーン以外の材料（例えば、ＰＶＣ、シリコーンフリーの“Ｆａｉｔｐｌａｓｔ  Ｗｉｔｈ  Ｍｅ”など）を使用することも可能である。
【００６６】
滑り止め材料に透明又は所望の色を適用することが可能である。
【００６７】
ホットメルトの代わりに、別の接着剤も適用できる。切断は、切断ツール又はレーザーによって実行できる。
【符号の説明】
【００６８】
１  フットレット
２  編成部（Knitted part，ニット編み部）
３  弾性ストリップ
４  かかと部
５  線
６  中間部
７  線
８  つま先部
９  サイド（side）
１０  サイド（side）
１１  サイド（side）
１２  サイド（side）
１４  弾性テープ
１５  端部（弾性テープの端部）
１６  端部（弾性テープの端部）
１７  部分（パート）
１８  横サイド（Lateral side）
１９  開口部
２１  足
２２  底部
２３  横側部（Lateral part）
２４  横側部（Lateral part）
４１  フットレット
４３  弾性ストリップ
４４  テープ
４５  テープ
４６  端部
４７  端部
４８  通路
５１  フットレット
５２  編成部（Knitted part，ニット編み部）
５３  弾性ストリップ
５４  かかと部
５５  線
５６  中間部
５７  線
５８  つま先部
５９  開口部
６０  テープ
６１  テープ
７１  フットレット
７２  編成部（Knitted part，ニット編み部）
７３  弾性ストリップ
７４  かかと部
７５  線
７６  中間部
７８  管状部
７９  つま先部
８１  フットレット
８２  編成部（Knitted part，ニット編み部）
８３  弾性ストリップ
８４  開口部
８５  前部編成部
９１  フットレット
９２  弾性バンド
Ａ  距離
Ｂ  距離（幅）
Ｃ  距離
【図１】
2020531705.tif 000003
【図２】
2020531705.tif 000004
【図３】
2020531705.tif 000005
【図４】
2020531705.tif 000006
【図５】
2020531705.tif 000007
【図６】
2020531705.tif 000008
【図７】
2020531705.tif 000009
【図８】
2020531705.tif 000010
【国際調査報告】
2020531705.tif 000011
2020531705.tif 000012